(57)【特許請求の範囲】
【請求項１】
軸部材が両端部から突出されたロール状物を収容する収容箱であって、
前記軸部材を支持することにより前記ロール状物を宙吊り状態で水平配置する端面壁体と、
前記端面壁体同士を連結し、前記ロール状物を中心として水平方向両側に位置するように配置された側面壁体とを有しており、
前記側面壁体は、
鉛直方向に配置された平板状の壁面部と、
前記壁面部の鉛直方向の中間位置において水平方向の両端にかけて形成され、前記ロール状物の側周面に対して面状に当接可能に突出された突出部とを有することを特徴とする収容箱。
【請求項２】
前記側面壁体における前記突出部は、
前記ロール状物の巻芯を含む巻芯水平面と交差する部位から該巻芯水平面を中心とした上側領域及び下側領域の両端部にかけて前記壁面部から離隔するように傾斜された当接面を有することを特徴とする請求項１に記載の収容箱。
【請求項３】
前記側面壁体は、
前記当接面における鉛直方向の両端を結んだ線分が前記ロール状物の外周面よりも内周側に位置するように配置されていることを特徴とする請求項２に記載の収容箱。
【請求項４】
前記側面壁体は、
前記巻芯水平面を中心として上下方向に対称に配置された分割構造部材により形成されており、
前記分割構造部材は、
前記壁面部の一部を構成する平板部と、
前記平板部における前記巻芯水平面側の端部から前記当接面の一部を構成するように曲折された当接面部と、
前記当接面部の終端から前記平板部に当接するように曲折された当接面支持部と
を有することを特徴とする請求項３に記載の収容箱。
【請求項５】
前記ロール状物の上方に水平配置され、少なくとも前記端面壁体同士を連結する上面壁体と、
前記ロール状物の下方に水平配置され、前記端面壁体同士及び前記側面壁体同士を連結する下面壁体とを有することを特徴とする請求項４に記載の収容箱。
【請求項６】
前記下面壁体の底面における所定の配置位置に設けられた位置決め部材と、
前記下面壁体が載置されるパレットとを有しており、
前記パレットは、
前記下面壁体の底面に一致した載置面と、
前記載置面における前記位置決め部材の配置位置に対応した部位に、前記位置決め部材を嵌合可能に形成された嵌合部と
を有することを特徴とする請求項５に記載の収容箱。
【発明の詳細な説明】
【技術分野】
【０００１】
本発明は、各種のシートを巻回したロール状物の収容箱に関するものである。
【背景技術】
【０００２】
ロール状物は、端面を載置面に当接して縦置き状態にしたり、側周面を載置面に当接して横置き状態にしながら保管や搬送が行われる場合があるが、これらの場合には、シートの材質によっては載置面との当接箇所が荷重の影響を受けて変形や損傷等の不具合を起こす場合がある。そこで、特許文献１〜４においては、ロール状物の両端面から軸部材を突出させ、これらの軸部材を支持することによりロール状物を横向きの宙吊り状態にし、ロール状物の周囲を平板状の壁面部材で囲んだ収容箱が開示されている。この収容箱によれば、ロール状物の一部分に荷重が集中することを防止できるため、荷重の影響を受け易いロール状物であっても不具合が起り難いものにすることができる。
【先行技術文献】
【特許文献】
【０００３】
【特許文献１】特開２００１−１８０６５７号公報
【特許文献２】特開２００３−２５２３９５号公報
【特許文献３】特開２００４−９０９７７号公報
【特許文献４】特開２００４−１１８１１０号公報
【発明の概要】
【発明が解決しようとする課題】
【０００４】
しかしながら、上記従来の構成では、ロール状物の側周面を囲む側壁部材が平板状であるため、保管時や搬送時に受ける外力に対して撓みや座屈し難い強度にしようとすると、側壁部材を十分に厚くすることが必要になり、結果として収容箱の重量及びサイズが増大することになる。このような収容箱の重量及びサイズは、ロール状物の保管や運搬という目的に対して無駄な重量やサイズである。従って、収容箱は、同じ強度を確保しながら軽量で小型であることが望まれている。特に、近年においては、ロール状物が大型化や大重量化される傾向にあり、このような大型化や大重量化に対応する強度を持った収容箱を形成するときに、収容箱の重量やサイズの増大が顕著になるため、収容箱の軽量化及び小型化が注目されている。
【０００５】
本発明は、上記の問題を鑑みてされたものであり、平板状の壁面部材で形成された収容箱と同等の強度を確保しながら、少なくとも軽量化できる収容箱を提供することを目的とする。
【課題を解決するための手段】
【０００６】
本発明の収容箱は、軸部材が両端部から突出されたロール状物を収容する収容箱であって、前記軸部材を支持することにより前記ロール状物を宙吊り状態で水平配置する端面壁体と、前記端面壁体同士を連結し、前記ロール状物を中心として水平方向両側に位置するように配置された側面壁体とを有しており、
前記側面壁体は、鉛直方向に配置された平板状の壁面部と、前記壁面部の鉛直方向の中間位置において水平方向の両端にかけて形成され、前記ロール状物の側周面に対して面状に当接可能に突出された突出部とを有する。
【０００７】
上記の構成によれば、ロール状物の軸部材を端面壁体で支持し、ロール状物の重量で端面壁体を固定し、さらに端面壁体同士を側面壁体で連結することによって、高い保型性でもってロール状物の水平方向の周囲を端面壁体と側面壁体とで囲みながらロール状物を水平方向に宙吊り状態で収容することができる。
【０００８】
また、側面壁体と端面壁体との関係に着目した場合、側面壁体の両端部が端面壁体で支持された両端支持梁構造となっている。ここで、側面壁体は、鉛直方向に配置された平板状の壁面部と、この壁面部に形成された突出部とを有しており、突出部が壁面部の鉛直方向の中間位置において水平方向の両端にかけて形成されている。従って、側面壁体は、突出部が壁面部のリブとしての機能を発揮し、断面２次モーメント及び断面係数を増大させていることから、外力に対して撓み難いと共に座屈し難いものになっている。
【０００９】
さらに、側面壁体が大きな外力を受けてロール状物方向に湾曲された場合であっても、突出部がロール状物の側周面に当接し、側面壁体の外力に対する反力がロール状物の形成位置に発生するため、過大な湾曲が防止される。この際、突出部がロール状物の側周面に面状に当接するため、外力による荷重が一点に集中される場合よりも荷重が分散されることによって、ロール状物の側周面が破損し難いものとなっている。この結果、側面壁体を厚手の平板で形成することにより実現される強度を含む性能、即ち、撓み難いと共に座屈し難くてロール状物を傷つけ難いという性能と同等の性能が、軽量な側面壁体で確保されることから、収容箱の軽量化を実現することができる。
【００１０】
本発明における前記側面壁体における前記突出部は、前記ロール状物の巻芯を含む巻芯水平面と交差する部位から該巻芯水平面を中心とした上側領域及び下側領域の両端部にかけて前記壁面部から離隔するように傾斜された当接面を有していてもよい。
【００１１】
上記の構成によれば、側面壁体が外力により撓むと、突出部の当接面がロール状物に当接する。この際、当接面は、巻芯水平面と交差する部位から巻芯水平面を中心とした上側領域及び下側領域の両端部にかけて壁面部から離隔するように傾斜されている。従って、当接面の傾斜角度は、巻芯水平面に対して直交する角度である場合よりも、ロール状物の側周面の上側領域及び下側領域における各部の接線方向に近い状態となっている。これにより、ロール状物を挟み込むように四点支持し、撓みを抑制する。この結果、簡単な構成によりロール状物の側周面が損傷される可能性を大幅に低減することができる。
【００１２】
本発明における前記側面壁体は、前記当接面における鉛直方向の両端を結んだ線分が前記ロール状物の外周面よりも内周側に位置するように配置されていてもよい。
【００１３】
上記の構成によればロール状物を側面壁体の壁面部側に近接した状態で収容することができるため、収容箱の小型化を実現することができる。
【００１４】
本発明における前記側面壁体は、前記巻芯水平面を中心として上下方向に対称に配置された分割構造部材により形成されており、前記分割構造部材は、前記壁面部の一部を構成する平板部と、前記平板部における前記巻芯水平面側の端部から前記当接面の一部を構成するように曲折された当接面部と、前記当接面部の終端から前記平板部に当接するように曲折された当接面支持部とを有していてもよい。
【００１５】
上記の構成によれば、ダンボール等の平板状の板部材を折り曲げることにより分割構造部材を容易に形成することができることから、この分割構造部材で形成された側面壁体も容易に形成することができる。また、巻芯水平面を中心として上下方向にニ分割されていることから、下側の分割構造部材だけを取付けた状態でロール状物を端面壁体に組み付けて、その後に、上側の分割構造部材を取付けるという作業手順でロール状物を収容することができる。これにより、ロール状物を収容する作業を容易に行うことができる。
【００１６】
本発明の収容箱は、さらに、前記ロール状物の上方に水平配置され、少なくとも前記端面壁体同士を連結する上面壁体と、前記ロール状物の下方に水平配置され、前記端面壁体同士及び前記側面壁体同士を連結する下面壁体とを有していてもよい。
【００１７】
上記の構成によれば、上面壁体と下面壁体と端面壁体と側面壁体とを収容箱の部品として個別に取り扱うことができると共に、強固な保型性でもってロール状物の周囲全体を覆うことができる。
【００１８】
また、本発明の収容箱は、さらに、前記下面壁体の底面における所定の配置位置に設けられた位置決め部材と、前記下面壁体が載置されるパレットとを有しており、
前記パレットは、前記下面壁体の底面に一致した載置面と、前記載置面における前記位置決め部材の配置位置に対応した部位に、前記位置決め部材を嵌合可能に形成された嵌合部とを有していてもよい。
【００１９】
上記の構成によれば、パレットと下面壁体との位置決めを容易に行うことができるため、収容箱を容易に組み立てることができる。
【発明の効果】
【００２０】
本発明によると、ロール状の重量物を平板状の壁面部材で形成された収容箱と同等にロール状物の撓みを抑制しながら、保持・収容する収容箱の軽量化が可能になる。
【図面の簡単な説明】
【００２１】
【図１】本発明の実施形態に係る収容箱の概略構成を示す説明図である。
【図２】端面壁体の概略構成を示す説明図である。
【図３】下面壁体と端面壁体との関係を示す説明図である。
【図４】下面壁体の概略構成を示す説明図である。
【図５】下面壁体の概略構成を示す説明図である。
【図６】下面壁体とパレットとの関係を示す説明図である。
【図７】軸支持部材に側面壁体が組み付けられた状態を示す説明図である。
【図８】上側面部材の組立状態を示す説明図である。
【図９】下側面部材の組立状態を示す説明図である。
【図１０】上面壁体と軸支持部材との関係を示す説明図である。
【図１１】収容箱の製造方法の過程を示す説明図である。
【図１２】収容箱の製造方法の過程を示す説明図である。
【図１３】収容箱の製造方法の過程を示す説明図である。
【図１４】収容箱の製造方法の過程を示す説明図である。
【図１５】収容箱の製造方法の過程を示す説明図である。
【図１６】収容箱の製造方法の過程を示す説明図である。
【発明を実施するための形態】
【００２２】
以下、本発明の好適な実施の形態について、図面を参照しつつ説明する。
（収容箱１の全体構成）
本実施形態の収容箱１は、図１に示すように、円筒形状の軸部材３が両端部から突出されたロール状物２を宙吊り状態の水平姿勢で収容するように構成されている。ここで、『宙吊り状態』とは、ロール状物２の側周面２ａが周囲の構造物に接触していない状態である。『水平姿勢』とは、ロール状物２の巻芯方向が水平方向に一致している姿勢であり、横置き姿勢と換言することもできる。尚、ロール状物２及び軸部材３の材質、物性及び構成については特に限定されるものではない。
【００２３】
収容箱１は、長方体形状に形成されている。収容箱１の前後方向には、端面壁体１２・１２が対称配置されている。収容箱１の左右方向には、側面壁体１３・１３が対称配置されている。収容箱１の上下方向には、上面壁体１１と下面壁体１４とがそれぞれ配置されている。ここで、『前後方向』は、収容箱１の長手方向や端面方向を意味しており、水平姿勢で収容されたロール状物２の巻芯方向に対して一致した方向である。『左右方向』は、収容箱１の幅方向を意味しており、ロール状物２の巻芯方向に直交する水平面の方向である。『上下方向』は、収容箱１の高さ方向や深さ方向、鉛直方向を意味しており、ロール状物２の巻芯方向に直交する鉛直面の方向である。
【００２４】
端面壁体１２・１２と側面壁体１３・１３と上面壁体１１と下面壁体１４とは、それぞれ分離可能にされている。収容箱１は、これらの壁体１２・１２・１３・１３・１１・１４を組み合わせて連結することにより形成されている。また、これらの壁体１２・１２・１３・１３・１１・１４は、ダンボールにより形成されている。ダンボールは、シート状のダンボール紙を波形状に折り返して所定厚みの板状に形成した曲折部と、曲折部の両側面の頂部にシート状のダンボール紙を貼り合わせた側面部とを有している。ダンボールは、１枚からなる単層状態と、２枚以上を積層した積層状態が必要に応じて使い分けられる。尚、以降の説明においては、曲折部の頂部が連続する方向を縦方向と称すると共に、曲折部の頂部が並列配置される方向を横方向と称する。
【００２５】
さらに、収容箱１は、金属製のパレット１５を底部に備えている。尚、パレット１５は、金属製の他、ダンボール製や樹脂製であってもよい。パレット１５は、下面壁体１４の下面に分離可能に接合されている。パレット１５は、図示しないフォークリフト等の搬送車により支持可能に形成されている。
【００２６】
（端面壁体１２）
収容箱１の前後方向に配置された端面壁体１２・１２は、軸部材３を支持することによりロール状物２を宙吊り状態で水平配置するように構成されている。各端面壁体１２・１２は、軸部材３の下側面を支持する軸支持部材１２２と、軸支持部材１２２で支持された軸部材３を固定する軸固定部材１２１と、収容箱１における前後方向の外壁面となる外装部材１２３とを有している。これらの軸支持部材１２２と軸固定部材１２１と外装部材１２３とは、中心点を通過する上下方向の線分を中心として左右対称に形成されている。
【００２７】
（端面壁体１２:軸支持部材１２２）
端面壁体１２・１２は、図２にも示すように、ダンボールにより略正方形の平板状に形成されている。軸支持部材１２２は、ダンボールの縦方向が収容箱１の上下方向に一致するように形成されている。軸支持部材１２２は、軸部材３を支持する軸支持部１２２１を有している。軸支持部１２２１は、軸支持部材１２２の上端から中心部までを切り取ることにより形成されている。
【００２８】
軸支持部１２２１は、軸支持部材１２２の中心部に配置された下面支持部１２２１ａと、下面支持部１２２１ａの上方に配置された上側嵌合部１２２１ｂとを有している。下面支持部１２２１ａは、軸部材３の側周面の下面側に面状に当接するように形成されている。具体的には、下面支持部１２２１ａは、最下端に頂部を有する半円の湾曲形状に形成されている。これにより、下面支持部１２２１ａは、円筒形状の軸部材３が載置されたときに、軸部材３を面状に支持すると共に、軸部材３を軸支持部材１２２の中心部に位置決めするようになっている。
【００２９】
下面支持部１２２１ａの上方には、上側嵌合部１２２１ｂが配置されている。上側嵌合部１２２１ｂは、軸支持部材１２２の上端から下面支持部１２２１ａにかけて形成されている。上側嵌合部１２２１ｂは、軸支持部材１２２の上端側が最も拡大された開口幅に設定されていると共に、下面支持部１２２１ａ側の最下端が最も減少された開口幅に設定されている。これにより、上側嵌合部１２２１ｂは、軸部材３を上方から下降するときに、多少の揺れや誤差があった場合でも、軸部材３を下面支持部１２２１ａ方向に案内することを可能にしている。この結果、軸支持部１２２１は、ロール状物２を容易且つ短時間で収容することを可能にしている。
【００３０】
さらに、上側嵌合部１２２１ｂには、上側段部１２２１ｄと下側段部１２２１ｃとが形成されている。上側段部１２２１ｄは、軸支持部材１２２の上端面側に配置されている。下側段部１２２１ｃは、下側嵌合部１２２ｂ側の下端部に配置されている。これらの下側段部１２２１ｃ及び上側段部１２２１ｄは、軸固定部材１２１を上下方向に支持することにより軸固定部材１２１の下端部（軸部材３側）に応力が集中することを防止している。
【００３１】
また、軸支持部材１２２は、第１嵌合溝１２２２・１２２２と第２嵌合溝１２２３・１２２３と第３嵌合溝１２２４・１２２４と第４嵌合溝１２２５・１２２５とを有していると共に、第１突出部１２２６・１２２６を有している。これらの第１〜第４嵌合溝１２２２〜１２２５及び第１突出部１２２６は、軸支持部１２２１を中心として左右対称に配置されている。
【００３２】
第１嵌合溝１２２２は、軸支持部材１２２の上端面を切欠くことにより形成されており、上面壁体１１と端面壁体１２と側面壁体１３の上側面部材１３１とを連結するためのものである。第２嵌合溝１２２３は、軸支持部材１２２の側面の上部に形成されており、側面壁体１３の上側面部材１３１と端面壁体１２とを連結するためのものである。第３嵌合溝１２２４は、軸支持部材１２２の側面の下部に形成されており、側面壁体１３の下側面部材１３２と端面壁体１２とを連結するためのものである。
【００３３】
第４嵌合溝１２２５は、軸支持部材１２２の下面に形成されており、側面壁体１３の下側面部材１３２と端面壁体１２とを連結するためのものである。また、第４嵌合溝１２２５は、複数層のダンボールを嵌合することができるように、溝幅が他の嵌合溝１２２２〜１２２４よりも拡大されている。これにより、ロール状物２を支持することにより大きな荷重が収容箱１の下面側に生じた場合でも、収容箱１の変形を防止することを可能にしている。第４嵌合溝１２２５の内側位置には、第１突出部１２２６が形成されている。第１突出部１２２６は、軸支持部材１２２の下端面から突出されており、下面壁体１４と端面壁体１２との位置合わせをするためのものである。
【００３４】
（端面壁体１２:軸固定部材１２１）
上記のように構成された軸支持部材１２２は、軸支持部１２２１に対して軸固定部材１２１が着脱可能に嵌合されている。軸固定部材１２１は、ダンボールにより形成されている。軸固定部材１２１のダンボールは、縦方向が収容箱１の上下方向に一致するように設定されている。
【００３５】
軸固定部材１２１の両側面は、上側嵌合部１２２１ｂの両側面と同一形状に形成されている。具体的には、軸固定部材１２１は、上端面から下端面にかけて横幅を減少させるように形成されている。さらに、軸固定部材１２１は、上側段部１２１ａと下側段部１２１ｂとを有している。上側段部１２１ａは、軸固定部材１２１の上部に配置されている。下側段部１２１ｂは、軸固定部材１２１の下端面に配置されている。これらの上側段部１２１ａ及び下側段部１２１ｂは、軸支持部材１２２の軸支持部１２２１に嵌合されたときに、軸支持部材１２２の上側段部１２２１ｄ及び下側段部１２２１ｃにそれぞれ当接するように配置及び形成されている。
【００３６】
軸固定部材１２１の下端面の中心部には、上面支持部１２１ｃが配置されている。上面支持部１２１ｃは、軸部材３の側周面の上面側に面状に当接するように形成されている。具体的には、上面支持部１２１ｃは、最上端に頂部を有する半円の湾曲形状に形成されている。これにより、上面支持部１２１ｃは、軸支持部材１２２の下面支持部１２２１ａとで円筒形状の軸部材３の全周を支持することを可能にしている。即ち、軸固定部材１２１と軸支持部材１２２とは、軸部材３を端面壁体１２の中心部に着脱可能に固定するように構成されている。
【００３７】
軸固定部材１２１の上端面は、軸支持部材１２２の支持部１２２１に嵌合された状態において、軸支持部材１２２の上端面と一致するように設定されている。また、軸固定部材１２１の上端面の中央部には、突出部１２１ｄが配置されている。突出部１２１ｄは、軸支持部材１２２の上端面から突出されており、上面壁体１１と端面壁体１２との位置合わせをするためのものである。
【００３８】
（端面壁体１２:外装部材１２３）
上記の軸支持部材１２２及び軸固定部材１２１の前側及び後側には、外装部材１２３・１２３がそれぞれ着脱可能に配置されている。外装部材１２３は、上部側に配置された上端部領域１２３ａと、中間部に配置された中間部領域１２３ｂと、下端部に配置された下端部領域１２３ｃとを有している。上端部領域１２３ａ及び下端部領域１２３ｃは、短尺長さの幅に設定された領域である。一方、中間部領域１２３ｂは、長尺長さの幅に設定された領域である。
【００３９】
具体的には、外装部材１２３の左右方向の幅は、長尺長さと短尺長さとの２段階に設定されている。中間部領域１２３ｂの長尺長さは、軸支持部材１２２に連結された側面壁体１３・１３における中間部の壁面間に略等しい長さである。上端部領域１２３ａ及び下端部領域１２３ｃの短尺長さは、軸支持部材１２２に連結された側面壁体１３・１３における上部及び下部の壁面間に略等しい長さである。これにより、外装部材１２３は、収容箱１の前後方向から外装部材１２３を着脱することが可能になっている。
【００４０】
外装部材１２３は、上端面及び下端面が軸支持部材１２２の上端面及び下端面に一致するように上下方向の高さが設定されている。外装部材１２３の上端面及び下端面には、上突出部１２３ｄ及び下突出部１２３eがそれぞれ形成されている。上突出部１２３ｄは、外装部材１２３の上端面から突出されており、上面壁体１１と端面壁体１２との位置合わせをするためのものである。一方、下突出部１２３eは、外装部材１２３の下端面から突出されており、下面壁体１４と端面壁体１２との位置合わせをするためのものである。
【００４１】
（下面壁体１４）
上記の端面壁体１２・１２の下方には、図３に示すように、下面壁体１４が配置されている。下面壁体１４は、ロール状物２の下方に水平配置され、端面壁体１２・１２同士及び側面壁体１３・１３同士の位置合わせをするように構成されている。
【００４２】
下面壁体１４は、ダンボールにより上面視長方形の平板状に形成されている。下面壁体１４は、ダンボールの縦方向が収容箱１の前後方向、即ち、ロール状物２の軸方向に一致するように形成されている。下面壁体１４は、第１嵌合部１４ａ・１４ａと第２嵌合部１４ｂ・１４ｂとを有している。これらの嵌合部１４ａ〜１４ｂは、下面壁体１４の中心点を通過する線分Ｏを中心として対称に配置されている。
【００４３】
具体的に説明すると、第１嵌合部１４ａ・１４ａは、線分Ｏの両端部となる下面壁体１４の両端中心部に配置されている。各第１嵌合部１４ａ・１４ａは、外装部材１２３の下突出部１２３eがそれぞれ嵌合されることによって、外装部材１２３・１２３と下面壁体１４とを着脱可能に連結している。また、第２嵌合部１４ｂ・１４ｂは、第１嵌合部１４ａを中心とした両側に対称配置されている。これらの第２嵌合部１４ｂ・１４ｂは、軸支持部材１２２の第１突出部１２２６・１２２６がそれぞれ嵌合されることによって、軸支持部材１２２と下面壁体１４とを着脱可能に連結している。
【００４４】
さらに、下面壁体１４は、第１貫通穴１４ｃ・１４ｃと第２貫通穴１４ｄ・１４ｄとを有している。第１貫通穴１４ｃ・１４ｃ及び第２貫通穴１４ｄ・１４ｄは、図９の補強部材１３８における突出部１３８ｃが嵌合されるようになっている。
【００４５】
上記の下面壁体１４は、図４及び図５に示すように、中間部材１４２と、中間部材１４２の上面に貼設された上側平板部材１４１と、中間部材１４２の下面に貼設された下側平板部材１４３とを有している。中間部材１４２は、長方体形状のダンボールを積層した積層構造体１４２１を並列配置することにより形成されている。上側平板部材１４１及び下側平板部材１４３は、第１貫通穴１４ｃ・１４ｃ等を備えた同一形状に形成されている。尚、上側平板部材１４１及び下側平板部材１４３は、必ずしも同一形状である必要はなく、下側平板部材１４３は、第１貫通穴１４ｃ・１４ｃ等を備えずに、外形だけが上側平板部材１４１と同一形状であってもよい。
【００４６】
下面壁体１４の下面には、図６に示すように、ダンボールで形成された位置決め部材１４４・１４４が設けられている。これらの位置決め部材１４４・１４４は、下面壁体１４の中心点に対して点対称に配置されている。位置決め部材１４４・１４４は、パレット１５のコーナー部の隙間に嵌合可能に形成及び配置されており、パレット１５に対する下面壁体１４の位置決めを容易且つ短時間で行うことを可能にしている。
【００４７】
（側面壁体１３）
下面壁体１４の上面には、図１に示すように、側面壁体１３・１３が配置されている。側面壁体１３・１３は、端面壁体１２・１２同士を連結していると共に、ロール状物２を中心とした水平方向両側に配置されるように設けられている。各側面壁体１３・１３は、図７にも示すように、鉛直方向に配置された平板状の壁面部１３６と、壁面部１３３の鉛直方向の中間位置において水平方向（収容箱１の前後方向）の両端にかけて形成され、ロール状物２の側周面２ａに対して面状に当接可能に突出された突出部１３７とを有している。
【００４８】
突出部１３７は、ロール状物２の側周面２ａに対向された当接面１３７ａを有している。当接面１３７ａは、ロール状物２の巻芯を含む巻芯水平面Ｙと交差する部位から巻芯水平面Ｙを中心とした上側領域及び下側領域の両端部にかけて壁面部１３６から離隔するように傾斜されている。尚、傾斜された当接面１３７ａは、直線の平面状に形成されていてもよいし、ロール状物２の側周面２ａに沿うように形成された凹湾曲状に形成されていてもよい。さらに、当接面１３７ａは、鉛直方向に設定されていてもよし、これら各種の当接面１３７ａを含む突出部１３７は、本実施形態のように分割して形成されることもなく、一体的に形成されていてもよい。
【００４９】
さらに、側面壁体１３・１３は、当接面１３７ａにおける鉛直方向の両端を結んだ線分Xがロール状物２の側周面２ａ（外周面）よりも内周側に位置するように配置されている。これにより、収容箱１は、ロール状物２を側面壁体１３・１３の壁面部１３６に近接した状態で収容することができるため、小型化が可能にされている。
【００５０】
さらに、側面壁体１３・１３は、巻芯水平面Ｙを中心として上下方向に対称配置された２個の分割構造部材（上側面部材１３１・下側面部材１３２）により形成されている。尚、各側面壁体１３・１３は、１個の構造部材により形成されていてもよい。分割構造部材は、壁面部１３６の一部を構成する平板部（壁面領域１３３３・外装板１３５）と、平板部における巻芯水平面Ｙ側の端部から当接面１３７ａの一部を構成するように曲折された当接面部（傾斜面領域１３３２）と、当接面部の終端から平板部に当接するように曲折された当接面支持部（中間支持領域１３３１）とを有している。
【００５１】
これにより、分割構造部材がダンボール等の平板状の板部材を折り曲げることにより容易に形成されることから、この分割構造部材で形成された側面壁体１３・１３についても容易に形成されることになる。また、巻芯水平面Ｙを中心として上下方向にニ分割されていることから、下側の分割構造部材だけを取付けた状態でロール状物２を端面壁体１２・１２に組み付けて、その後に、上側の分割構造部材を取付けるという作業手順でロール状物２を収容することができる。これにより、ロール状物２を収容する作業を容易に行うことができる。
【００５２】
具体的に説明すると、側面壁体１３は、収容箱１の上部に配置された上側面部材１３１と、当接収容箱１の下部に配置された下側面部材１３２とを分離可能に有している。上側面部材１３１及び下側面部材１３２は、収容箱１の上下方向の中間位置において頂部同士が当接するように形成されている。また、上側面部材１３１及び下側面部材１３２は、ダンボールにより形成されている。上側面部材１３１及び下側面部材１３２は、ダンボールの縦方向が収容箱１の上下方向に一致するように設定されている。
【００５３】
（側面壁体１３：上側面部材１３１）
上側面部材１３１は、図８に示すように、壁面部材１３３を備えている。壁面部材１３３は、展開された状態が平面視長方形状に形成されており、長手方向が収容箱１の前後方向の長さに一致されている。壁面部材１３３は、中間支持領域１３３１と傾斜面領域１３３２と壁面領域１３３３と端面支持領域１３３４とに区分されている。これらの領域１３３１〜１３３４は、矩形状に形成されており、壁面部材１３３の幅方向、即ち、収容箱１の上下方向にこの順に配置されている。中間支持領域１３３１は、壁面部材１３３における幅方向の一端側に配置されている。中間支持領域１３３１は、幅方向の中間位置において一定間隔で切欠きが長手方向に形成された曲折線１３３１ａを有している。これにより、中間支持領域１３３１は、曲折線１３３１ａを中心として容易に１８０度曲折可能にされている。
【００５４】
また、中間支持領域１３３１におけるコーナー部の４箇所には、嵌合溝１３３１ｂが形成されている。嵌合溝１３３１ｂは、軸支持部材１２２の第２嵌合溝１２２３に嵌合可能にされている。そして、中間支持領域１３３１は、収容箱１に組み付けるために曲折されて立体構造物とされたときに、曲折線１３３１ａが直線状の頂部となり、壁面領域１３３３の内壁面における長手方向（収容箱１の前後方向）の全体に当接することになる。さらに、中間支持領域１３３１は、嵌合溝１３３１ｂが軸支持部材１２２の第２嵌合溝１２２３に嵌合されたときに、嵌合溝１３３１ｂが配置された長手方向の両端部が軸支持部材１２２により支持された状態となる。
【００５５】
中間支持領域１３３１の幅方向の一方側には、傾斜面領域１３３２が配置されている。傾斜面領域１３３２は、中間支持領域１３３１に対して曲折可能にされていると共に、長手方向の両端部に挿入穴１３３２ａ・１３３２ａを有している。これらの挿入穴１３３２ａ・１３３２ａは、軸支持部材１２２を挿通可能にされ、軸支持部材１２２の端面により長手方向の両端部が支持された状態とするようになっている。また、傾斜面領域１３３２は、挿入穴１３３２ａ・１３３２ａ間に配置された斜面部１３３２ｂを有しており、ロール状物２の側周面２ａに面状に当接可能にされている。
【００５６】
傾斜面領域１３３２の幅方向の一方側には、壁面領域１３３３が配置されている。壁面領域１３３３は、傾斜面領域１３３２に対して曲折可能にされており、収容箱１として組み立てられたときに、外部に位置する側壁面を構成するようになっている。壁面領域１３３３の外面（収容箱１の外部側の面）には、外装板１３５が貼設されるようになっている。外装板１３５は、ダンボールにより壁面領域１３３３のサイズ及び形状に一致した長方形状に形成されている。
【００５７】
さらに、壁面領域１３３３の一方側には、端面支持領域１３３４が配置されている。端面支持領域１３３４は、壁面領域１３３３に対して曲折可能にされていると共に、幅方向の中心部で曲折可能にされている。端面支持領域１３３４の幅方向の一方端には、嵌合溝１３３４ａが形成されている。嵌合溝１３３４ａは、軸支持部材１２２の第１嵌合溝１２２２に嵌合可能にされている。
【００５８】
一方、図９に示すように、上側面部材１３１の下方に配置された下側面部材１３２は、上側面部材１３１と同一構成の壁面部材１３３及び外装板１３５を有していることに加えて、補強部材１３８を有している。補強部材１３８は、展開状態で平板状の長方形状に形成されている。補強部材１３８は、幅方向の中間位置において一定間隔で切欠きが長手方向に形成された曲折線１３８ｂを有している。これにより、補強部材１３８は、曲折線１３８ｂを中心として容易に１８０度曲折可能にされている。また、補強部材１３８の長手方向の両端部には、嵌合穴１３８ａが形成されている。嵌合穴１３８ａは、軸支持部材１２２の第４嵌合溝１２２５に嵌合可能にされている。さらに、補強部材１３８は、幅方向の両端面の４箇所に突出部１３８ｃを有している。突出部１３８ｃは、図３の下面壁体１４における第１貫通穴１４ｃ・１４ｃと第２貫通穴１４ｄ・１４ｄとに嵌合されるようになっている。
【００５９】
（上面壁体１１）
図１に示すように、収容箱１は、上面壁体１１を着脱可能に備えている。上面壁体１１は、側周面２ａの上方に水平配置され、少なくとも端面壁体１２・１２同士を連結するように形成されている。これにより、上面壁体１１は、下面壁体１４と端面壁体１２・１２と側面壁体１３・１３と同様に、相互に着脱可能及び連結可能にされることにより収容箱１の部品として個別に取り扱うことができると共に、強固な保型性でもってロール状物２の周囲全体を覆うことを可能にしている。
【００６０】
具体的に説明すると、上面壁体１１は、ダンボールにより形成されている。尚、上面壁体１１は、ダンボールの縦方向が収容箱１の左右方向に一致するように設定されている。上面壁体１１は、図１０に示すように、展開された状態が平面視長方形状に形成されており、長手方向が収容箱１の前後方向の長さに一致されている。
【００６１】
上面壁体１１は、天板領域１１１と端面領域１１２・１１３とに区分されている。これらの領域１１１・１１２・１１３は、矩形状に形成されており、端面領域１１２・１１３は、天板領域１１１の幅方向、即ち、収容箱１の左右方向の両側にそれぞれ配置されている。天板領域１１１の長手方向（収容箱１の前後方向）の両端部には、嵌合穴１１１ａ・１１１ａが形成されている。これらの嵌合穴１１１ａ・１１１ａは、図２の軸固定部材１２１の突出部１２１ｄと外装部材１２３の上突出部１２３ｄとが嵌合されるようになっている。
【００６２】
また、端面領域１１２・１１３は、天板領域１１１に対して９０度曲折可能に形成されている。端面領域１１２・１１３は、長手方向の両端部に嵌合溝１１２ａ・１１３ａを備えている。嵌合溝１１２ａ・１１３ａは、軸支持部材１２２の第１嵌合溝１２２２が嵌合されるようになっている。
【００６３】
（パレット１５）
図１に示すように、収容箱１は、下面壁体１４が載置されるパレット１５を着脱可能に備えている。パレット１５は、下面壁体１４の底面に一致した載置面１５ａと、嵌合部１５ｂ・１５ｂとを有している。嵌合部１５ｂ・１５ｂは、図３の位置決め部材１４４・１４４の配置位置に対応した部位に配置されている。パレット１５の載置面１５ａは、長尺のスチール材１５１を組み合わせることにより形成されており、嵌合部１５ｂ・１５ｂは、スチール材１５１同士の交差部分を利用して形成されている。また、パレット１５は、側面側に挿入口１５ｃが形成されており、挿入口１５ｃは、フォークリフト等の爪部材が挿入可能にされている。
【００６４】
（収容箱の製造方法）
上記の構成において収容箱１の製造方法について説明する。
先ず、図１１に示すように、下面壁体１４をパレット１５に載置する。この際、下面壁体１４の下面には、図３の位置決め部材１４４・１４４が設けられており、これらの位置決め部材１４４・１４４がパレット１５の嵌合部１５ｂ・１５ｂにそれぞれ嵌合される。これにより、パレット１５と下面壁体１４との位置決めが容易に行われることになる。
【００６５】
この後、側面壁体１３・１３が作成される。具体的には、図８に示すように、展開状態の壁面部材１３３が準備される。そして、壁面部材１３３における中間支持領域１３３１と傾斜面領域１３３２と壁面領域１３３３と端面支持領域１３３４とを単位として図示矢符方向に図示破線の状態にまで曲折されると共に、曲折線１３３１ａを中心として１８０度曲折されることによって、立体形状の基本構成体とされる。この後、上記の基本構成体における壁面領域１３３３部分に外装板１３５が貼設されることによって、上側面部材１３１とされる。また、図９に示すように、基本構成体における壁面領域１３３３部分に外装板１３５が貼設されると共に、補強部材１３８が曲折線１３８ｂを中心として曲折された後、基本構成の端面支持領域１３３４に貼設されることによって、下側面部材１３２とされる。
【００６６】
次に、図１２に示すように、下側面部材１３２・１３２が軸支持部材１２２・１２２に組み付けられる。具体的には、図７及び図８に示すように、挿入穴１３３２ａ・１３３２ａが軸支持部材１２２における第３嵌合溝１２２４・１２２４上方の壁面部を通過され、中間支持領域１３３１が第３嵌合溝１２２４に嵌合される。また、端面支持領域１３３４の嵌合溝１３３４ａが軸支持部材１２２における第４嵌合溝１２２５に嵌合される。
【００６７】
次に、図１３に示すように、一体化された軸支持部材１２２・１２２及び下側面部材１３２・１３２が下面壁体１４の上面に組み付けられる。これにより、収容箱１は、上半分が開放された状態となる。この後、ロール状物２が図示しない搬送装置に吊り下げられながら収容箱１の上方に移動された後、ロール状物２の軸部材３が軸支持部材１２２・１２２に支持されるように下降される。そして、外装部材１２３が軸支持部材１２２に装着された後、側面部材１３１が軸支持部材１２２・１２２に組み付けられ、軸固定部材１２１が軸支持部材１２２に装着される。これにより、図１４に示すように、収容箱１は、ロール状物２を収容しながら上面が開放された状態となる。
【００６８】
この後、図１５に示すように、収容箱１の上面に上面壁体１１が装着されることによって、ロール状物２の周囲が完全にダンボールで覆われた状態とされる。そして、図１６に示すように、収容箱１の組み立てと同時にロール状物２の収容が完了することになる。この後、結束バンド４により収容箱１が梱包された後、目的地に搬送及び保管される。
【００６９】
尚、ロール状物２を収容箱１から取り出す場合は、上記の手順とは逆の手順で端面壁体１２・１２等が取り外され、組み付け前の複数の部品片に分離される。これにより、ロール状物２が取り出された後の収容箱１は、ダンボールからなる部品片と、スチール製のパレット１５とからなり、各部品片が廃棄や再利用される一方、パレット１５が再利用される。
【００７０】
（収容箱の動作）
次に、ロール状物２を収容した収容箱１の動作について説明する。
ロール状物２が収容箱１に収容されると、ロール状物２は、軸部材３が端面壁体１２・１２で支持されることにより宙吊り状態で水平配置される。軸部材３が端面壁体１２・１２で支持されると、ロール状物２の重量で端面壁体１２・１２が固定され、さらに、端面壁体１２・１２同士が側面壁体１３・１３で連結されることによって、高い保型性を持った端面壁体１２・１２と側面壁体１３・１３との枠体が形成される。そして、この枠体がロール状物２の水平方向の周囲を取り囲むことになる。
【００７１】
また、側面壁体１３・１３と端面壁体１２・１２との関係に着目した場合、側面壁体１３・１３の両端部が端面壁体１２・１２で支持された両端支持梁構造となっている。ここで、側面壁体１３・１３は、鉛直方向に配置された平板状の壁面部１３６と、この壁面部１３６に形成された突出部１３７とを有しており、突出部１３７が壁面部１３６の鉛直方向の中間位置において水平方向の両端にかけて形成されている。
【００７２】
従って、側面壁体１３・１３は、突出部１３７が壁面部１３６のリブとしての機能を発揮し、断面２次モーメント及び断面係数を増大させていることから、外力に対して撓み難いと共に座屈し難いものになっている。さらに、側面壁体１３・１３が大きな外力を受けてロール状物２方向に湾曲された場合であっても、突出部１３７がロール状物２の側周面２ａに当接し、側面壁体１３・１３の外力に対する反力がロール状物２の形成位置に発生するため、過大な湾曲が防止される。
【００７３】
尚、突出部１３７がロール状物２の側周面２ａに面状に当接するため、外力による荷重が一点に集中される場合よりも荷重が分散されることによって、ロール状物２の側周面２ａが破損し難いものとなっている。この結果、側面壁体１３・１３を厚手の平板で形成することにより実現される強度を含む性能、即ち、撓み難いと共に座屈し難くてロール状物２を傷つけ難いという性能と同等の性能が、軽量な側面壁体１３・１３で確保されることから、収容箱１の軽量化を実現することができる。
【００７４】
また、側面壁体１３・１３が外力により撓むと、突出部１３７の当接面１３７ａがロール状物２に当接する。この際、当接面１３７ａは、巻芯水平面と交差する部位から巻芯水平面を中心とした上側領域及び下側領域の両端部にかけて壁面部１３６から離隔するように傾斜されている。従って、当接面１３７ａの傾斜角度は、巻芯水平面に対して直交する角度である場合よりも、ロール状物２の側周面の上側領域及び下側領域における各部の接線方向に近い状態となっている。これにより、当接面１３７ａがロール状物２の側周面２ａに当接する面積は、当接面１３７ａが巻芯水平面に対して垂直に形成されている場合よりも増大したものになる。この結果、簡単な構成によりロール状物２の側周面２ａが損傷される可能性を大幅に低減することができる。
【００７５】
以上、本発明の実施例を説明したが、具体例を例示したに過ぎず、特に本発明を限定するものではなく、具体的構成などは、適宜設計変更可能である。また、発明の実施形態に記載された、作用および効果は、本発明から生じる最も好適な作用および効果を列挙したに過ぎず、本発明による作用および効果は、本発明の実施形態に記載されたものに限定されるものではない。
【符号の説明】
【００７６】
１  収容箱
２  ロール状物
３  軸部材
１１  上面壁体
１２  端面壁体
１３  側面壁体
１４  下面壁体
１５  パレット
１２１  軸固定部材
１２２  軸支持部材
１２３  外装部材
１３１  上側面部材
１３２  下側面部材
１３３  壁面部材
１３５  外装板
１３６  壁面部
１３７  突出部
１４１  上側平板部材
１４２  中間部材
１４３  下側平板部材
【図１】
0005493174.tif 000002
【図２】
0005493174.tif 000003
【図３】
0005493174.tif 000004
【図４】
0005493174.tif 000005
【図５】
0005493174.tif 000006
【図６】
0005493174.tif 000007
【図７】
0005493174.tif 000008
【図８】
0005493174.tif 000009
【図９】
0005493174.tif 000010
【図１０】
0005493174.tif 000011
【図１１】
0005493174.tif 000012
【図１２】
0005493174.tif 000013
【図１３】
0005493174.tif 000014
【図１４】
0005493174.tif 000015
【図１５】
0005493174.tif 000016
【図１６】
0005493174.tif 000017